(57)【要約】      （修正有）【課題】各種プリンターによってプリントされた書類及び予め印刷された書類・パンフレット等を１枚の表紙付ファイルとして製本し、しかも表紙を必要に応じてその都度プリントできる“いわゆるオンデマンド”製本すること。【解決手段】１枚の長方形の用紙を中心線により２分し、更に中心線に隣接して左右にミシン線を施し、ミシン線と中心線に囲まれた巾の狭い部分に両面テープを施して貼付け部分とし、用紙のそれ以外の２つの部分をプリント部分とし、このような用紙をファイリング・カバーと呼ぶ。  ファイリング・カバーに於いて、プリント部分をミシン目によって切離せば、これをプリンターによってプリント出来、更にそれを再び元の部分に貼り合せれば、プリントされた表紙になる。また、その他の両面テープによって表紙以外の書類を貼り合せて１冊のファイルに製本する。【選択図】図１
0003123317.tif 000002
【実用新案登録請求の範囲】
【請求項１】
１枚の長方形の用紙の内側のタテ又はヨコの中心線の両側に、これに隣接し平行して巾の狭い両面テープを２列貼り、この状態の用紙をカラープリンター等によってプリントし、中心線によって２つ折したものをファイル用ファイリング・カバーと呼び、これと別個に用意された書類やカタログを両面テープによって貼合せすることが出来る、利用者によって自由にデザインされプリンターによってプリントされた表紙を持ち、かつ複数の多彩な内容を貼り合せ包含出来ることを特徴とするファイリング・カバーと呼ばれる表紙。
【請求項２】
請求項１によって得られるファイリング・カバーの中心線に隣接して貼られた両面テープの外側にこれに隣接しかつ平行に１列または２列のミシン目を施し、中心線とミシン目の間の巾の狭い部分を貼り合せ部分と呼び、それ以外の用紙の面積の大きい巾の広い部分をプリント部分と呼び、この用紙全体が両面テープの存在によってプリンターによるプリント困難な場合には、プリント部分をミシン目から切離し、両面テープなしの用紙とし、これをプリンターによってプリントし、その後元の貼り合せ部分に重ねて両面テープによって貼り合せて表紙とすることを可能とすることを特徴とするファイリング・カバー。
【請求項３】
請求項１及び請求項２によって得られるファイリング・カバーに於いて、プリント部分の一辺を外側に短く延長し、その内側に両面テープを１列貼り、この部分を小口シール用フラップと呼び、これを折り曲げ、両面テープによって、フラップを表紙の開口部いわゆる小口に隣接して貼り合せ、書類等を包含したファイリング・カバーを別個の封筒に入れずに発送出来、又は小口をふさいで内容物のデーターを隠蔽できることを特徴とするフラップ付ファイリング・カバー。
【考案の詳細な説明】
【技術分野】
【０００１】  本考案は主としてカット紙プリンターによりプリントされた又はコピー機によってコピーされた書類に同じくプリントされた表紙をつけて製本する技術分野に関するものである。
【背景技術】
【０００２】  従来、書類に表紙をつけて製本するには次のような方法が利用されている。
１．表紙２枚で書類をはさんで背中に近い部分をホッチキスでとじて、粘着型テープで背中をくるむ。これでは、用紙の見開きが悪く不便である。
２．予め表紙の背中の内側に固体のホットメルト接着剤を塗られたものを利用し、専用の製本機によって製本する。この種の表紙は高コストである。
かつ、表紙に自由なプリントを施すことが困難である。
３．内部の書類の１ページ目が見えるように透明プラスチックの表紙を利用する。これは、廃棄する場合に、表紙の焼却処理のときＣＯ２が発生する。
【考案の開示】
【考案が解決しようとする課題】
【０００３】  上記〔０００２〕で述べた従来技術の欠点を改良・解決しようとするのが本考案の課題である。
【課題を解決しようとする手段】
【０００４】  １枚の長方形の用紙を短辺に平行な中心線によって２分し、背中となる折線に隣接してミシン目を施し、ミシン目と折り線の間の巾の狭い部分からなる区画に両面テープを貼って貼付け部分とし、それ以外の面積の大きい部分をプリント部分とし、これをミシン目によって切離してプリンターによってプリントし、再びもとの貼付け部分上に貼りあわせて、これを表紙とし、これ以外の貼付け部にも両面テープによって色々な用紙を貼り合わせるようにするのが基本手段であって、更にこうして造られた書類をそのまま封筒に入れずに郵送しようとする場合にも対応できるようにする。
【考案の効果】
【０００５】  従来技術に比べ本考案によるファイリング・カバーの効果は次の通りである。
１．１枚の用紙からなるファイリング・カバーでも複数の書類を貼り合わせすることによって、タイトルその他をプリントされた見開きの良い表紙付ファイルを簡単に製本できる。
２．特別な製本機や材料を必要としない。
３．表紙をプリンターによって自由にプリントできるので、体裁の良く立派な表紙を造ることができる。
４．郵送したい場合には、別の封筒を必要とせずフラップ付のファイリング・カバーを利用して、小口をふさげば郵送できる。
５．表紙をプリントすると同時にアドレスをプリントできる。
６．ファイリング・カバーを郵送する必要がなくても、フラップで小口をふさぐことができるので内容の個人情報を保護することができる。
７．プリンターでプリントした用紙だけでなく、予め別途造られたカタログ、チラシ−―――を貼付することができる。
８．紙のみで造られ、プラスチックを使用していないので環境保護に役立つ。
【考案を実施するための最良の形態】
【０００６】〔実施例１〕図１
図１は本考案によるファイリング・カバー（ＦＣ）１の裏側正面図であって、長方形の用紙１の四隅をＡＢＣＤとし、タテ方向の中心線をＸＸとし、これに隣接して巾の狭い両面テープＴＰ−１、ＴＰ−２を施し、ＸＸによって２つ折りしたものが本考案によるＦＣの基本形である。
このＦＣの表紙は、予め印刷を施すか又は白紙のものを用意して、あとから必要に応じてプリンターでプリントし、両面テープＴＰ−１、ＴＰ−２の剥離紙を剥がして、１とは別個の書類やカタログ等を貼り合すことによって、２つ折りされた体裁の良い表紙１の内側に書類やカタログ等を自由に組み合わせたファイルが得られる。
〔実施例２〕図２、図３、図４、図５
図２は本考案によるＦＣの裏面正面であって、長方形の用紙１の四隅をＡＢＣＤとし、縦方向の中心線をＸＸ、これに隣接して２列のミシン目ＹＹ、ＺＺを施し、ＸＸとＹＹ及びＺＺに囲まれた巾の狭い区画をそれぞれ２，３とし、２，３には巾の狭い両面テープＴＰ−１、ＴＰ−２を施し、この２，３区画を貼り合せ部分と呼び、ＡＢＣＤから貼り合せ部分を除いたより面積の大きい２つの区画４，５をプリント部分と呼ぶ。
図３はこのファイリング・カバーの表側正面図を示すもので、区画２，３にそれぞれ巾の狭い両面テープＴＰ−３、ＴＰ−４を施す。そしてこの用紙ＡＢＣＤを中心線ＸＸによって、２つ折りしたものが本考案によるファイリング・カバー（ＦＣ）である。
図４は、ＦＣとは別のプリントされた複数枚の用紙の一隅をホチキス６で綴じた書類７の正面図である。
図５はこのような書類７をＦＣの内側に両面テープＴＰ−１によって貼り合せた場合の側面図である。
〔実施例３〕図６，７
これは〔実施例１〕及び〔実施例２〕によるＦＣを配送可能とする改良型であって、図６に於いてＦＣの基本形ＡＢＣＤの辺ＣＤを外側へ短く延長して、これをフラップ８とし、８の内側にも両面テープＴＰ−５を施す。このようなＦＣに於いて〔実施例１〕及び〔実施例２〕と同様にプリントされた表紙及びその他の書類を両面テープＴＰ−１、ＴＰ−２によって貼り合せた後、辺ＣＤの位置でフラップ８を折り曲げ、両面テープＴＰ−５によって、これを表紙のプリント部分４に貼り合わすことによって、小口ＣＤが図７のようにふさがれたダイレクト・メール９が得られ、このとき内容物である書類はＦＣの内側でこれに貼り合わされており、配送中に抜け落ちることがないので、この状態で封筒に入れずにダイレクト・メールとして配送可能である。
【図面の簡単な説明】
【０００７】
【図１】本考案の実施例１によるファイリング・カバーの裏側正面図。
【図２】本考案の実施例２によるファイリング・カバーの表側正面図。
【図３】本考案の実施例３によるファイリング・カバーの表側正面図。
【図４】ホッチキスにより綴じられた書類の正面図。
【図５】本考案によるファイリング・カバーに別に綴じられた書類を貼り合せたファイルの側面図。
【図６】小口シール用フラップ付ファイリング・カバーの内側正面図。
【図７】小口シールフラップにより仕上げられたダイレクト・メールの側面図。
【符号の説明】
【０００８】１：本考案によるファイリング・カバー。
Ａ，Ｂ，Ｃ，Ｄ：本考案によるファイリング・カバーの四隅。
ＸＸ：本考案によるファイリング・カバーの短辺に平行な中心線。
ＹＹ：本考案によるファイリング・カバーのＸＸに隣接したミシン目。
ＺＺ：本考案によるファイリング・カバーのＸＸに隣接したミシン目。
２：本考案によるファイリング・カバーのＸＸとＹＹの間の巾の狭い貼り合せ部分。
３：本考案によるファイリング・カバーのＸＸとＺＺの間の巾の狭い貼り合せ部分。
ＴＰ−１、ＴＰ−２：本考案によるファイリング・カバーの裏側の区画２，３に貼られた両面テープ。
ＴＰ−３、ＴＰ−４：本考案によるファイリング・カバーの表側の区画２、３に貼られた両面テープ。
ＴＰ−５：本考案によるファイリング・カバーの区画５の外側に設けられた巾の狭い小口シーリング用フラップ部分８に貼られた両面テープ。
４，５：本考案よるファイリング・カバーの区画２、３に隣接する巾の広い区画。
６：ホッチキス。
７：ホッチキスにより綴じられた書類。
８：本考案によるファイリング・カバーの区画５の外側に設けられた巾の狭い小口シーリング用フラップ。
９：本考案によるファイリング・カバーの区画５の外側に設けられた巾の狭い小口シーリング用フラップによりシーリングされたダイレクト・メール。
（註）本考案の対象となる用紙ファイリング・カバーをＦＣと略称する。
【図１】
0003123317.tif 000003
【図２】
0003123317.tif 000004
【図３】
0003123317.tif 000005
【図４】
0003123317.tif 000006
【図５】
0003123317.tif 000007
【図６】
0003123317.tif 000008
【図７】
0003123317.tif 000009